(57)【要約】      （修正有）【課題】りゅうずから侵入する静電気によって電子回路が影響を受けることを防止し、かつ、小型化できる電子時計を提供する。【解決手段】電子時計は、外装ケースと、外装ケースに収納される電子モジュール４と、電子モジュール４から外装ケース側に突出した巻真４２と、導電アース部材４１と、を有し、巻真４２は、電子モジュール４と外装ケースとの間に配置されるツバ部４２１を有し、導電アース部材４１は、板状部４１０と、板状部４１０から巻真４２側に延出する弾性部４１４とを有し、巻真４２を電子モジュール４に押し込んだ状態において、弾性部４１４はツバ部４２１の電子モジュール４側の面に接触する。【選択図】図４
2019135478.tif 000002
【特許請求の範囲】
【請求項１】
外装ケースと、
前記外装ケースに収納される電子モジュールと、
前記電子モジュールから前記外装ケースに向けて突出した巻真と、
導電アース部材と、を有し、
前記巻真は、前記電子モジュールと前記外装ケースとの間に配置されるツバ部を有し、
前記導電アース部材は、板状部と、前記板状部から前記巻真に向けて延出する弾性部とを有し、
前記巻真を前記電子モジュールに押し込んだ状態において、前記弾性部は前記ツバ部の前記電子モジュール側の面に接触する
ことを特徴とする電子時計。
【請求項２】
請求項１に記載の電子時計において、
前記弾性部は、前記板状部から前記巻真に向けて延出する延出部と、前記延出部の先端側に連続して設けられて前記ツバ部に接触する第１当接部および第２当接部と、を有し、
前記巻真は、前記第１当接部と前記第２当接部との間に配置される
ことを特徴とする電子時計。
【請求項３】
請求項２に記載の電子時計において、
前記外装ケースは、開口部を備えた外装ケース本体と、前記外装ケース本体の開口部を封鎖する蓋部材とを有し、
前記外装ケース本体には、前記電子モジュールを挟んで前記蓋部材とは反対側に文字板が配置され、
前記板状部は、前記電子モジュールと前記蓋部材との間に配置され、
前記延出部は、前記板状部から前記文字板側に向けて延出し、
前記第１当接部および前記第２当接部は、前記延出部の先端側から前記文字板側に向けて延設され、前記第１当接部および前記第２当接部の先端は、前記巻真の軸の中心よりも前記文字板側に位置している
ことを特徴とする電子時計。
【請求項４】
請求項１から請求項３のいずれか一項に記載の電子時計において、
前記ツバ部は、前記巻真の軸方向の移動を規制する
ことを特徴とする電子時計。
【請求項５】
請求項１から請求項４のいずれか一項に記載の電子時計において、
前記弾性部は、前記巻真を前記電子モジュールから引き出した状態において、前記ツバ部から離れる
ことを特徴とする電子時計。
【請求項６】
請求項１から請求項５のいずれか一項に記載の電子時計において、
前記導電アース部材は、前記外装ケースと前記電子モジュールとの間に配置される回路押さえ板であり、
前記回路押さえ板には、前記外装ケースと導通する導通部が設けられている
ことを特徴とする電子時計。
【発明の詳細な説明】
【技術分野】
【０００１】
本発明は電子時計に関する。
【背景技術】
【０００２】
従来、電子時計において、りゅうずから侵入した静電気が、巻真を経由してムーブメントに誘導されて、電子回路が影響を受けることを防止するために、巻真からアースとして機能する外装ケース等に静電気を誘導する金属部品を備えた電子時計が知られている（例えば、特許文献１参照）。
【０００３】
特許文献１の電子時計では、金属製の回路押さえ板に、巻真の裏蓋側に張出し、バネ性を有する（弾性変形可能な）平面視が細幅帯状の張出領域を設け、当該張出領域の基部寄り部分を文字板側に屈曲させて、巻真の外周面に接触する巻真接触部を形成している。また、張出領域は、巻真接触部において、裏蓋側に屈曲させて、裏蓋に接触する裏蓋接触部を形成している。これにより、りゅうずから巻真に静電気が侵入しても、巻真接触部および裏蓋接触部を経由して裏蓋に静電気を逃がすことができるようにしている。
【先行技術文献】
【特許文献】
【０００４】
【特許文献１】特開２０００−２９２５６０号公報
【発明の概要】
【発明が解決しようとする課題】
【０００５】
特許文献１の電子時計では、張出領域をＶ字状に屈曲させ、その先端側の裏蓋接触部を裏蓋で押さえ込むことで、巻真接触部を巻真の外周面に、時計厚さ方向、すなわち、巻真の軸方向と直交する方向から押し当てて接触させている。ここで、巻真接触部と巻真とを確実に接触させ、かつ、接触圧が大きすぎて巻真の回転や引き出し操作を阻害しないようにするためには、張出領域を巻真の軸方向と直交する方向に適度に弾性変形できるように構成する必要がある。そうすると、張出領域の傾斜部分を平面方向に対して緩やかに傾斜させる必要がある。したがって、巻真の裏蓋側において、この傾斜部分を配置するための大きな空間を確保する必要があり、電子時計を小型化することができないという問題がある。
【０００６】
本発明の目的は、りゅうずから侵入する静電気によって電子回路が影響を受けることを防止し、かつ、小型化できる電子時計を提供することにある。
【課題を解決するための手段】
【０００７】
本発明の電子時計は、外装ケースと、前記外装ケースに収納される電子モジュールと、前記電子モジュールから前記外装ケースに向けて突出した巻真と、導電アース部材と、を有し、前記巻真は、前記電子モジュールと前記外装ケースとの間に配置されるツバ部を有し、前記導電アース部材は、板状部と、前記板状部から前記巻真に向けて延出する弾性部とを有し、前記巻真を前記電子モジュールに押し込んだ状態において、前記弾性部は前記ツバ部の前記電子モジュール側の面に接触することを特徴とする。
【０００８】
本発明では、巻真を電子モジュールに押し込んだ状態において、導電アース部材に設けられた弾性部はツバ部の電子モジュール側の面に接触する。そのため、弾性部はツバ部に対して巻真の軸方向に弾性変形した状態で接触するので、弾性部を平面方向に対して緩やかに傾斜させて配置する必要がない。例えば、裏蓋側から文字板側に延出される弾性部を設け、この弾性部を時計外周側に僅かに傾斜させれば、ツバ部の電子モジュール側の面に接触させることができる。したがって、時計の平面方向には弾性部を配置するための大きな空間を確保する必要がなく、電子時計を小型化することができる。さらに、りゅうずから巻真に侵入した静電気を、弾性部を経由して外装ケース等のアースとして機能する部品に逃がすことができるため、静電気による電子回路への影響を防止することができる。
【０００９】
本発明の電子時計において、前記弾性部は、前記板状部から前記巻真に向けて延出する延出部と、前記延出部の先端側に連続して設けられて前記ツバ部に接触する第１当接部および第２当接部と、を有し、前記巻真は、前記第１当接部と前記第２当接部との間に配置されることが好ましい。
本発明では、巻真は、ツバ部に接触する第１当接部と第２当接部との間に配置されるので、例えば、落下等で衝撃が加わったとしても、巻真の軸方向と交差する方向における弾性部の移動は、第１当接部および第２当接部と巻真とで規制される。そのため、弾性部がツバ部から離れてしまうことを防止することができて、りゅうずから巻真に侵入した静電気をより確実に逃がすことができる。
【００１０】
本発明の電子時計において、前記外装ケースは、開口部を備えた外装ケース本体と、前記外装ケース本体の開口部を封鎖する蓋部材とを有し、前記外装ケース本体には、前記電子モジュールを挟んで前記蓋部材とは反対側に文字板が配置され、前記板状部は、前記電子モジュールと前記蓋部材との間に配置され、前記延出部は、前記板状部から前記文字板側に向けて延出し、前記第１当接部および前記第２当接部は、前記延出部の先端側から前記文字板側に向けて延設され、前記第１当接部および前記第２当接部の先端は、前記巻真の軸の中心よりも前記文字板側に位置していることが好ましい。
本発明では、延出部は板状部から文字板側に向けて延出する。そして、第１当接部および第２当接部は、延出部の先端側から文字板側に向けて延設され、先端が巻真の軸の中心よりも文字板側に位置する。そのため、例えば、落下等で衝撃が加わった際に、弾性部に対して巻真が文字板側に移動したとしても、その移動量が少なくとも巻真の半径以下であれば、巻真は第１当接部および第２当接部間に位置しており、巻真が各当接部間から外れてしまうことがない。このため、弾性部および巻真が時計の厚さ方向に相対的に移動した場合に、第１当接部および第２当接部とツバ部との接触状態を維持しやすくすることができる。そのため、りゅうずから巻真に侵入した静電気をより確実に逃がすことができる。
【００１１】
本発明の電子時計において、前記ツバ部は、前記巻真の軸方向の移動を規制することが好ましい。
本発明では、ツバ部は、巻真の軸方向の移動を規制するため、巻真の位置決め部としても機能する。そのため、当該ツバ部と位置決め部とを別々に設ける場合に比べて、巻真を加工しやすくすることができる。したがって、生産効率を向上でき、生産コストを低減することができる。
【００１２】
本発明の電子時計において、前記弾性部は、前記巻真を前記電子モジュールから引き出した状態において、前記ツバ部から離れることが好ましい。
本発明では、巻真を電子モジュールから引き出した状態、すなわち、りゅうずを回転操作する状態において、弾性部はツバ部から離れるので、りゅうずを回転させる際に、弾性部とツバ部とが接触することがなく、りゅうずをスムーズに操作することができる。また、巻真を電子モジュールに押し込む際に、弾性部を電子モジュール側に大きく弾性変形させる必要がない。そのため、ツバ部が弾性部から受ける弾性力を、巻真を引き出すために必要な力に対して十分に小さくすることができ、弾性部の弾性力によって巻真が誤って引き出されることを防止することができる。
なお、巻真を引き出した状態では、操作者がりゅうずに触れているので、りゅうずに侵入する静電気は操作者側に逃げる。そのため、弾性部がツバ部から離れていても、静電気が巻真を経由して電子モジュールに侵入するおそれは少ない。
【００１３】
本発明の電子時計において、前記導電アース部材は、前記外装ケースと前記電子モジュールとの間に配置される回路押さえ板であり、前記回路押さえ板には、前記外装ケースと導通する導通部が設けられていることが好ましい。
本発明では、導電アース部材が回路押さえ板であり、当該回路押さえ板に外装ケースと導通する導通部が設けられるので、弾性部から板状部に誘導された静電気を外装ケースに逃がすための部品を別途設ける必要がなく、部品種類を少なくすることができる。そのため、生産効率を向上でき、生産コストを低減することができる。
【図面の簡単な説明】
【００１４】
【図１】本発明の一実施形態に係る電子時計を示す正面図。
【図２】前記電子時計の要部を示す分解斜視図。
【図３】前記電子時計のムーブメントの要部を示す分解斜視図。
【図４】りゅうずが０段位置の状態の前記電子時計の要部を示す概略断面図。
【図５】りゅうずが０段位置の状態の前記電子時計の要部を示す概略正面図。
【図６】りゅうずが１段位置の状態の前記電子時計の要部を示す概略断面図。
【発明を実施するための形態】
【００１５】
以下、本発明の一実施形態を図面に基づいて説明する。
図１は、本発明の一実施形態に係る電子時計１の正面図であり、図２は電子時計１の裏面側を上とした分解斜視図であり、図３はムーブメント４の要部を示す分解斜視図である。なお、本実施形態では、電子時計１のカバーガラス１３０側を表面側とし、裏蓋１２０側を裏面側として説明する。
【００１６】
［電子時計の構成］
電子時計１は、図１、２に示すように、導電性材料で形成された外装ケース１００を備え、外装ケース１００の内周側には、円盤状の文字板２が配置されている。
【００１７】
外装ケース１００は、ほぼリング状に形成された外装ケース本体１１０と、外装ケース本体１１０の裏面側に着脱可能に取り付けられ、外装ケース本体１１０の開口部を封鎖する蓋部材である裏蓋１２０とを備えている。導電性材料としては、ステンレス、金、チタン材等の金属材料が採用される。また、外装ケース本体１１０の表面側には、カバーガラス１３０が装着されている。
なお、本実施形態では、外装ケース本体１１０と裏蓋１２０とは別部品にて構成されているが、これに限らず、外装ケース本体１１０および裏蓋１２０が一体化されたワンピースケースでもよい。
【００１８】
外装ケース１００の側面には、りゅうず３が設けられている。りゅうず３が操作されることにより、操作に応じた入力を行うことができる。りゅうず３は、電子時計１の中心に向かって押し込まれた通常の位置（０段位置）から２段階に引き出すことができる。りゅうず３を１段階引き出した位置を１段位置といい、２段階引き出した位置を２段位置という。
【００１９】
外装ケース１００内には、図２に示すように、文字板２と、本発明の電子モジュールの一例であるムーブメント４とが収納されている。
文字板２は、プラスチックなどの非導電性の材料で形成されており、ムーブメント４を挟んで、裏蓋１２０とは反対側に配置されている。文字板２の表面側には、秒針２１、分針２２、時針２３と、各種情報等を支持する指針２４、２５、２６が配置されている。各指針２１〜２６は、ムーブメント４の指針軸に取り付けられており、ムーブメント４により駆動される。
【００２０】
［ムーブメントの構成］
ムーブメント４には、従来から電子時計に用いられているものが利用できる。本実施形態では、ムーブメント４に、太陽電池の発電電力を充電する二次電池と、二次電池の電力で駆動されるステップモーターと、ステップモーターによって駆動される輪列とを備えたムーブメントが利用される。
図２、３に示すように、ムーブメント４は、回路押さえ板４１と、耐磁体４３と、回路基板４４と、地板４５とを備えている。回路基板４４には、図示略のステップモーターを駆動させるための電子回路等が組み込まれている。
また、ムーブメント４には、ムーブメント４から外装ケース１００に向けて突出した金属製の巻真４２が設けられており、巻真４２の周囲には、おしどり等の図示略のスイッチ機構（切換機構）が配置されている。
【００２１】
［巻真の構成］
図４は、りゅうず３が０段位置の状態における巻真４２近傍の概略断面図である。
図２〜４に示すように、巻真４２には、りゅうず３が取り付けられており、りゅうず３を引き出すことで軸方向に移動する。すなわち、巻真４２は、通常は０段位置にあり、りゅうず３を引き出すことで、１段位置、または、２段位置に移動する。
また、巻真４２には、ムーブメント４と外装ケース１００との間に配置されるツバ部４２１が設けられている。ツバ部４２１は、巻真４２の軸直交方向に突出して形成され、ムーブメント４側の面４２２は巻真４２の軸に直交する平面であり、外装ケース１００側の面はテーパ面とされている。そして、ツバ部４２１は、例えば、電子時計１が落下した際の衝撃などにより、巻真４２が電子時計１の中心に向かって押し込まれた際に、ツバ部４２１が地板４５に直接あるいは弾性部４１４を介して接触することで、巻真４２が０段位置を超えて移動することを規制する。すなわち、ツバ部４２１は、巻真４２の軸方向の移動を規制する位置決め部の一例である。なお、ツバ部４２１は、本実施形態の形状に限られるものではなく、例えば、外装ケース１００側もテーパ面ではなく平面としてもよいし、逆に、ムーブメント４側の面をテーパ面としてもよい。特に、ムーブメント４側の面は、後述する弾性部４１４との接触状態を維持しやすい形状とすることが好ましい。
【００２２】
［回路押さえ板の構成］
回路押さえ板４１は、平板状の金属で形成されており、図３に示すように、耐磁体４３および回路基板４４を覆うように配置される板状部４１０を有している。また、回路押さえ板４１には、板状部４１０から裏蓋１２０側に傾斜するように曲げられた金属バネとしての導通部４１１〜４１３が設けられている。
【００２３】
回路押さえ板４１は、板状部４１０の外周部から屈曲し、巻真４２に向けて延出する金属バネとしての弾性部４１４を有している。弾性部４１４は、板状部４１０から巻真４２に向けて延出する延出部４１５と、延出部４１５の先端側に連続し、二股に分かれてＵ字状に形成された第１当接部４１６および第２当接部４１７とを有している。
【００２４】
図５は、りゅうず３が０段位置の状態における巻真４２近傍の概略正面図である。
図４、５に示すように、延出部４１５は、板状部４１０から文字板２側、すなわち電子時計１の表面側に向けて延出している。
第１当接部４１６および第２当接部４１７は、内側にＵ字状に形成された溝部の幅寸法Ｍが巻真４２の直径Ｌよりも大きくなるように形成される。そして、巻真４２は、第１当接部４１６と第２当接部４１７との間に配置される。そのため、第１当接部４１６および第２当接部４１７は、巻真４２の外周面と直接接触しない。
また、第１当接部４１６および第２当接部４１７は、延出部４１５の先端側から文字板２側に延設される。この際、第１当接部４１６および第２当接部４１７は、内側にＵ字状に形成された溝部の深さ寸法Ｎが巻真４２の直径Ｌよりも大きくなるように形成され、その先端は巻真４２の断面中心（軸の中心）Ｐよりも文字板側に位置している。
【００２５】
図４に示すように、りゅうず３が０段位置にある状態、すなわち、巻真４２がムーブメント４に押し込まれた状態において、第１当接部４１６および第２当接部４１７はツバ部４２１のムーブメント４側の面４２２に接触している。また、導通部４１１〜４１３は、裏蓋１２０と接触しており、回路押さえ板４１と裏蓋１２０とを電気的に接続させる。
これにより、りゅうず３から巻真４２に侵入した静電気を、弾性部４１４、板状部４１０および導通部４１１〜４１３を経由して、裏蓋１２０へと逃がすことができる。すなわち、本実施形態では、回路押さえ板４１が本発明の導電アース部材の一例である。
【００２６】
ここで、本実施形態では、弾性部４１４が、ツバ部４２１の面４２２に接触するので、弾性部４１４は、巻真４２の軸方向に弾性変形した状態で面４２２と接触することになる。そのため、弾性部４１４を平面方向に対して緩やかに傾斜させて設ける必要がない。本実施形態では、弾性部４１４は、基端側が板状部４１０に対して略９０°の角度に折り曲げられて設けられている。
【００２７】
図６は、りゅうず３が１段位置の状態における巻真４２近傍の概略断面図である。
図６に示すように、りゅうず３が１段位置にある状態、すなわち、巻真４２をムーブメント４から引き出した状態において、第１当接部４１６および第２当接部４１７は、ツバ部４２１から離れている。そのため、１段位置にてりゅうず３を回転操作する際に、ツバ部４２１と第１当接部４１６および第２当接部４１７とが接触しない。
なお、当然、りゅうず３が２段位置にある状態においても、第１当接部４１６および第２当接部４１７は、ツバ部４２１から離れている。
【００２８】
また、りゅうず３が１段位置の状態において、第１当接部４１６および第２当接部４１７は、ツバ部４２１から離れているので、図４に示すように、りゅうず３を０段位置に押し込む際に、弾性部４１４を巻真４２の軸方向に沿ってムーブメント４側に大きく弾性変形させる必要がない。すなわち、りゅうず３が０段位置にある状態において、弾性部４１４はムーブメント４側に弾性変形した状態でツバ部４２１に接触している。そのため、ツバ部４２１に作用する弾性力はわずかであり、りゅうず３を１段位置や２段位置に引き出すために必要な力に比べて十分に小さい。
【００２９】
なお、巻真４２を引き出した状態では、操作者がりゅうず３に通常触れているので、りゅうず３に侵入する静電気は操作者側に逃げる。そのため、弾性部４１４がツバ部４２１から離れていても、静電気が巻真４２を経由してムーブメント４に侵入するおそれは少ない。
【００３０】
［実施形態の作用効果］
このような本実施形態によれば、以下の効果を得ることができる。
本実施形態では、弾性部４１４は、巻真４２をムーブメント４に押し込んだ状態において、ツバ部４２１の面４２２に接触する。そのため、弾性部４１４は、巻真４２の軸方向に対して弾性変形した状態でツバ部４２１と接触するので、弾性部４１４を平面方向に緩やかに傾斜させて配置する必要がない。したがって、巻真４２の裏蓋１２０側において、弾性部４１４を配置するための大きな空間を確保する必要がなく、電子時計１を小型化することができる。また、りゅうず３から巻真４２に侵入した静電気を、弾性部４１４、板状部４１０および導通部４１１〜４１３を経由して外装ケース１００の裏蓋１２０に逃がすことができるため、静電気による電子回路への影響を防止することができる。
【００３１】
本実施形態では、ツバ部４２１に接触する第１当接部４１６および第２当接部４１７は、内側にＵ字状に形成された溝部の幅寸法Ｍが巻真４２の直径Ｌよりも大きくなるように形成される。そして、巻真４２は、第１当接部４１６と第２当接部４１７との間に配置される。そのため、落下等で衝撃が加わったとしても、巻真４２の軸方向と交差する方向における弾性部４１４の移動は、第１当接部４１６および第２当接部４１７と巻真４２とで規制される。そのため、弾性部４１４がツバ部４２１から離れてしまうことを防止することができ、りゅうず３から巻真４２に侵入した静電気をより確実に逃がすことができる。また、第１当接部４１６および第２当接部４１７は、巻真４２の外周面に直接接触しないので、巻真４２を引き出す際に、巻真４２の外周面に引っかかるおそれがなく、巻真４２をスムーズに引き出すことができる。
【００３２】
本実施形態では、第１当接部４１６および第２当接部４１７は、延出部４１５の先端側から文字板２側に延設される。この際、第１当接部４１６および第２当接部４１７は、内側にＵ字状に形成された溝部の深さ寸法Ｎが巻真４２の直径Ｌよりも大きくなるように設けられ、その先端は巻真４２の断面中心Ｐよりも文字板側に位置している。そのため、例えば、落下等で衝撃が加わった際に、弾性部４１４に対して巻真４２が文字板２側に移動したとしても、その移動量が少なくとも巻真４２の半径以下であれば、巻真４２は第１当接部４１６および第２当接部４１７間に位置しており、巻真４２が各当接部間から外れてしまうことがない。このため、弾性部４１４および巻真４２が時計の厚さ方向に相対的に移動した場合に、第１当接部４１６および第２当接部４１７とツバ部４２１との接触状態を維持しやすくすることができる。したがって、りゅうず３から巻真４２に侵入した静電気をより確実に逃がすことができる。
【００３３】
本実施形態では、ツバ部４２１は、巻真４２の軸方向の移動を規制するため、巻真４２の位置決め部としても機能する。そのため、ツバ部４２１と位置決め部とを別々に設ける場合に比べて、巻真４２を加工しやすくすることができる。したがって、生産効率を向上でき、生産コストを低減することができる。
【００３４】
本実施形態では、巻真４２をムーブメント４から引き出した状態、すなわち、りゅうず３を回転操作する状態において、弾性部４１４はツバ部４２１から離れるので、りゅうず３を回転させる際に、弾性部４１４とツバ部４２１とが接触せず、りゅうず３をスムーズに操作することができる。また、巻真４２をムーブメント４に押し込む際に、弾性部４１４をムーブメント４側に大きく弾性変形させる必要がない。そのため、ツバ部４２１が弾性部４１４から受ける弾性力を、巻真４２を引き出すために必要な力に対して十分に小さくすることができる。したがって、弾性部４１４の弾性力によって巻真４２が誤って引き出されることを防止することができる。
【００３５】
本実施形態では、回路押さえ板４１には、外装ケース１００の裏蓋１２０と導通する導通部４１１〜４１３が設けられる。そのため、弾性部４１４から板状部４１０に誘導された静電気を外装ケース１００に逃がすための部品を別途設ける必要がなく、部品種類を少なくすることができる。そのため、生産効率を向上でき、生産コストを低減することができる。
【００３６】
［他の実施形態］
なお、本発明は前述の実施形態に限定されるものではなく、本発明の目的を達成できる範囲での変形、改良等は本発明に含まれるものである。
前記実施形態では、回路押さえ板４１に裏蓋１２０と導通する導通部４１１〜４１３が設けられていたが、静電気を外装ケースに逃がすための部品が別途設けられていてもよい。ただし、この場合、部品種類が増加してしまうため、回路押さえ板４１に導通部４１１〜４１３が設けられることが好ましい。
また、導通部４１１〜４１３は裏蓋１２０に接触するように設けられていたが、アースとして機能する部品に接触するように設けられていればよく、例えば、外装ケースのケース本体に接触するように設けられていてもよい。
【００３７】
前記実施形態では、延出部４１５の先端側に連続し、二股に分かれてＵ字状に形成された第１当接部４１６および第２当接部４１７が設けられていたが、例えば、２枚の細板状の弾性部が、それぞれ板状部から折り曲げられて、第１当接部および第２当接部が設けられていてもよい。さらに、弾性部は、ツバ部に接触するように設けられていればよく、例えば、先端側が巻真の周囲を取り囲むリング状に設けられていてもよい。
【００３８】
前記実施形態では、ツバ部４２１は、巻真４２の軸方向の位置を規制する位置決め部としても機能していたが、ツバ部と位置決め部とは別々に設けられていてもよい。ただし、この場合、巻真４２が加工しにくくなってしまうので、ツバ部が位置決め部として機能することが好ましい。
【００３９】
前記実施形態では、りゅうず３が１段位置にある状態、すなわち、巻真４２をムーブメント４から引き出した状態において、第１当接部４１６および第２当接部４１７はツバ部４２１から離れるように構成されていたが、りゅうず３が１段位置や２段位置にある状態において、弾性部とツバ部とが接触するように構成されていてもよい。
本発明の電子モジュールは、指針を駆動するステップモーターを有するムーブメントに限定されず、液晶パネルや有機ＥＬパネルなどの表示部を駆動する電子モジュールでもよい。
【符号の説明】
【００４０】
１…電子時計、２…文字板、３…りゅうず、４…ムーブメント（電子モジュール）、４１…回路押さえ板（導電アース部材）、４１０…板状部、４１１，４１２，４１３…導通部、４１４…弾性部、４１５…延出部、４１６…第１当接部、４１７…第２当接部、４２…巻真、４２１…ツバ部、１００…外装ケース、１１０…外装ケース本体、１２０…裏蓋、Ｐ…断面中心（軸の中心）。
【図１】
2019135478.tif 000003
【図２】
2019135478.tif 000004
【図３】
2019135478.tif 000005
【図４】
2019135478.tif 000006
【図５】
2019135478.tif 000007
【図６】
2019135478.tif 000008